(57)【特許請求の範囲】
【請求項１】
非磁性体材料から作られた筐体の中に所定間隔を隔てて配置された第１、第２、第３の磁界発生ユニットからなる磁界誘起構造体であって、
当該第１、第２、第３の磁界発生ユニットは、
丸形または多角形断面を有する非磁性体材料製の中空筒状構造体と、
中空筒状構造体の中心軸に沿って伸びた複数の六面体状マグネットであって、当該中空筒状構造体の壁面周上に所定間隔にて収納された六面体状マグネットとから成り、
当該六面体状マグネットの中空筒状構造体の中心軸に面する側がＮ極、中空筒状構造体の外表面に面する側がＳ極をなしていることを特徴とする磁気治療用の磁界誘起構造体。
【請求項２】
請求項１に記載の磁界誘起構造体において、前記第１の磁界発生ユニットは前記筐体の一端側に配置され、前記第２の磁界発生ユニットは前記筐体の他端側に配置され、前記第３の磁界発生ユニットは前記筐体の中央部に配置され、前記第１の磁界発生ユニットに収納された六面体状マグネットの長さは、前記第２の磁界発生ユニットに収納された六面体状マグネットの長さと等しく、前記第３の磁界発生ユニットに収納された六面体状マグネットの長さより短いことを特徴とする磁気治療用の磁界誘起構造体。
【請求項３】
請求項１または２に記載の磁界誘起構造体において、前記第１、第２の磁界発生ユニットに収納された六面体状マグネットの長さは、前記第３の磁界発生ユニットに収納された六面体状マグネットの長さの１／２であることを特徴とする磁気治療用の磁界誘起構造体。
【請求項４】
請求項１乃至３のいずれかに記載の磁界誘起構造体において、前記六面体状マグネットは、ネオジウム磁石、フェライト磁石、ＫＳ磁石、ネオジウム磁石を除く希土類磁石、白金コバルト磁石のいずれかであることを特徴とする磁気治療用の磁界誘起構造体。
【発明の詳細な説明】
【技術分野】
【０００１】
本発明は、複数の磁界発生ユニットを組み合わせることにより生じる特定の磁界の作用を利用した磁気治療器として使用される磁界誘起構造体にかかる。
【背景技術】
【０００２】
従来より、身に付けるだけで、血行を促進して筋肉のこりをほぐし、自律神経のバランスも回復する磁気治療器が、各種知られている。  このような磁気治療器は、身に付けるために装着具に磁石が取り付けられていたり、磁石を粘着材等によって装着具に貼り付けたりするものがある。  また、多数の凸部を有する磁石を回転自在に玉受けに取り付けた構成にして、磁力による作用とともに凸部による指圧作用の両者を作用させる磁気マッサージ器や磁気治療器が提案されている。（例えば、特許文献１および２参照）
【０００３】
また、六面体状のマグネットと円環状のマグネットを組み合わせ、磁力を高めた健康増進用磁気構造体も提案されている。（例えば、特許文献３参照）
【０００４】
しかし、従来の身に付ける方式の磁気治療器は、小型で長時間使用が出来るという利点はあるが、強力な磁力の照射が難しいだけでなく、強い指圧作用を与えることがむずかしいなど、その効果がもう一つ満足できないものであった。
また、六面体状のマグネットと円環状のマグネットを組み合わせ、磁力を高めたものでは、従来の身に付ける方式の磁気治療器にくらべれば、効果は高くなってはいたが、更に有効な磁気治療器が求められていた。
【先行技術文献】
【特許文献】
【０００５】
【特許文献１】特開２００６−２６４号公報
【特許文献２】特開２００４−２０８８３４号公報
【特許文献３】ＷＯ２０１３／０３１０３５Ａ１
【発明の概要】
【発明が解決しようとする課題】
【０００６】
本発明は、かかる観点からなされたものであり、更に有効な磁気治療効果をあげることができる磁気治療器用の磁界誘起構造体を提供することを課題とするものである。
【課題を解決するための手段】
【０００７】
本件発明者は、鋭意研究を重ねた結果、複数の磁界発生ユニットを組み合わせることにより生じる特定の磁界が、磁気治療効果を高めるのに極めて有効であることを見出し、本件発明に至った。
【０００８】
本発明の第１の観点にかかる発明では、非磁性体材料から作られた筐体の中に所定間隔を隔てて配置された第１、第２、第３の磁界発生ユニットからなる磁界誘起構造体であって、第１、第２、第３の磁界発生ユニットは、丸形または多角形断面を有する非磁性体材料製の中空筒状構造体と、中空筒状構造体の中心軸に沿って伸びた複数の六面体状マグネットであって、当該中空筒状構造体の壁面周上に所定間隔にて収納された六面体状マグネットとから成り、六面体状マグネットの中空筒状構造体の中心軸に面する側がＮ極、中空筒状構造体の外表面に面する側がＳ極をなしている構成の磁気治療用の磁界誘起構造体とした。
【０００９】
本発明の第２の観点にかかる発明では、第１の観点にかかる発明の磁界誘起構造体において、第１の磁界発生ユニットは筐体の一端側に配置され、第２の磁界発生ユニットは筐体の他端側に配置され、第３の磁界発生ユニットは筐体の中央部に配置され、第１の磁界発生ユニットに収納された六面体状マグネットの長さは、第２の磁界発生ユニットに収納された六面体状マグネットの長さと等しく、第３の磁界発生ユニットに収納された六面体状マグネットの長さより短い構成の磁気治療用の磁界誘起構造体とした。
【００１０】
本発明の第３の観点にかかる発明では、第１または第２の観点にかかる発明の磁界誘起構造体において、第１、第２の磁界発生ユニットに収納された六面体状マグネットの長さは、第３の磁界発生ユニットに収納された六面体状マグネットの長さの１／２である構成の磁気治療用の磁界誘起構造体とした。
【００１１】
本発明の第４の観点にかかる発明では、第１乃至第３の観点のいずれかにかかる発明の磁界誘起構造体において、六面体状マグネットは、ネオジウム磁石、フェライト磁石、ＫＳ磁石、ネオジウム磁石を除く希土類磁石、白金コバルト磁石のいずれかである構成の磁気治療用の磁界誘起構造体とした。
【発明の効果】
【００１２】
上述したような構成をとった結果、本発明にかかる磁気治療用の磁界誘起構造体では、第１乃至第３の磁界発生ユニットから生成されるそれぞれの磁界が相互に干渉し合うことにより、筐体廻りに特異な磁界環境を作り出し、この特異な磁界環境の中に人体の一部を置くことにより有効な磁気治療効果をあげることができる。
【図面の簡単な説明】
【００１３】
【図１】図１は、本発明の１実施形態である第１および第２の磁界発生ユニットの正面図、および断面図を示したものである。
【図２】図２は、本発明の１実施形態である第３の磁界発生ユニットの正面図、および断面図を示したものである。
【図３】図３は、本発明の１実施形態である磁気治療用の磁界誘起構造体の正面図、および断面図を示したものである。
【図４】図４は、本発明の１実施形態である六面体状マグネットの外形形状を示したものである。
【発明を実施するための形態】
【００１４】
以下、本発明の実施の形態を図面を参照して説明する。  なお、ここで説明する本発明の実施の形態は、本発明を例示するものであって、これらによって発明の範囲が限定されるものではない。
【００１５】
図１および図２は、本発明の１実施形態である第１、２および第３の磁界発生ユニットを示したものであり、図３は、本発明の１実施形態である磁界誘起構造体を示したものである。
【００１６】
本発明の磁気治療用の磁界誘起構造体１は、第１の磁界発生ユニット１０、第２の磁界発生ユニット２０、第３の磁界発生ユニット３０、および筐体４０から構成されている。
【００１７】
第１、第２、第３の磁界発生ユニット１０、２０、３０の各々は、それぞれ第１、第２、第３の中空筒状構造体１１、２１、３１と、複数の六面体状マグネット５１から構成されている。  第１、第２、第３の中空筒状構造体１１、２１、３１は、その内部に複数の六面体状マグネット５１を収納する容器を構成するものであり、非磁性体材料から作られている。
【００１８】
第１、第２、第３の中空筒状構造体１１、２１、３１は丸形または多角形断面を有し、内部は中空の空間を有する。  本実施形態では、第１、第２、第３の中空筒状構造体１１、２１、３１は六角形状の断面を有し、筒状体を構成する６つの壁面から成る。  ６つの壁面の各々には、第１、第２、第３の中空筒状構造体１１、２１、３１の各々の中心軸方向に沿って細長く伸びた六面体状マグネット５１が配置されるようになっている。
【００１９】
本実施形態では、第１、第２、第３の中空筒状構造体１１、２１、３１はアルミニュウム合金で作られているが、これに限定されるものではなく、非磁性体材料であって内部に複数の六面体状マグネット５１を収納できるものであれば、アルミニュウム合金以外で作ることも可能である。
【００２０】
本実施形態では、第１、第２、第３の中空筒状構造体１１、２１、３１のそれぞれの外周を構成する壁面に、アリ溝状の溝を設け、この溝の中に断面台形状のマグネットを収納保持するようにしている。  また、本実施形態では、第１、第２、第３の中空筒状構造体１１、２１、３１のそれぞれの壁面周上に等間隔で６個の断面台形状のマグネット（六面体状マグネット５１）を配置している。
【００２１】
なお、本実施形態においては、アリ溝状の溝に断面台形状のマグネットを配置し、断面台形状のマグネット（六面体状マグネット５１）の個数を６個として説明したが、これらに限定されるものではない。  また、第１、第２の中空筒状構造体１１、２１に配置される六面体状マグネット５１と、第３の中空筒状構造体３１に配置される六面体状マグネット５１とは、長さが異なるのみである。
【００２２】
本実施形態における第１、第２、第３の中空筒状構造体１１、２１、３１の外形寸法は、径は第１、第２、第３の中空筒状構造体１１、２１、３１とも同じであることが望ましいがこれに限定されるものではない。  また、第１、第２の中空筒状構造体１１、２１の長さは、第３の中空筒状構造体３１の長さよりも短い方が望ましく、第１、第２の中空筒状構造体１１、２１の長さが、第３の中空筒状構造体３１の長さの１／２であることが更に望ましい。
【００２３】
なお、第１、第２、第３の中空筒状構造体１１、２１、３１に収納される六面体状マグネット５１の長さは、それぞれ第１、第２、第３の中空筒状構造体１１、２１、３１の長さに比例した長さの六面体状マグネット５１が収納されることが望ましい。
【００２４】
本実施形態においては、図４に示すように、六面体状マグネット５１は台形状の断面形状を有しており、六面体状マグネット５１の台形断面の上底（短辺）をなす面が第１、第２、第３の中空筒状構造体１１、２１、３１の中心軸側を向き、台形断面の下底（長辺）をなす面が第１、第２、第３の中空筒状構造体１１、２１、３１の外表面を向くように配置され、六面体状マグネット５１の長手方向は、第１、第２、第３の中空筒状構造体１１、２１、３１の中心軸と平行になるように配置される。
【００２５】
また、六面体状マグネット５１の極性は、六面体状マグネット５１の台形断面の上底（短辺）をなす面（すなわち、第１、第２、第３の中空筒状構造体１１、２１、３１の中心軸に面する側）がＮ極であり、六面体状マグネット５１の台形断面の下底（長辺）をなす面（すなわち、第１、第２、第３の中空筒状構造体１１、２１、３１の外表面に面する側）がＳ極となっている。
【００２６】
六面体状マグネット５１は、ネオジウム磁石、フェライト磁石、ＫＳ磁石、ネオジウム磁石を除く希土類磁石、白金コバルト磁石の中から選択することができるが、特にネオジウム磁石が望ましい。
【００２７】
なお、本実施形態においては、アリ溝状の溝に断面台形状のマグネットを配置し、断面台形状のマグネット（六面体状マグネット５１）の個数を６個として説明したが、これらに限定されるものではない。
【００２８】
また、本発明における第１、第２、第３の磁界発生ユニット１０、２０、３０は、第１、第２、第３の中空筒状構造体１１、２１、３１の内部に複数の六面体状マグネット５１を収納した構成となっているため、第１、第２、第３の磁界発生ユニット１０、２０、３０の外形寸法は、第１、第２、第３の中空筒状構造体１１、２１、３１の外形寸法と同じになる。
【００２９】
本発明にかかる磁気治療用の磁界誘起構造体１では、第１の磁界発生ユニット１０は筐体４０の一端側に配置され、第２の磁界発生ユニット２０は筐体４０の他端側に配置され、第３の磁界発生ユニット３０は筐体４０の中央部に配置されている。
【００３０】
また、第１の磁界発生ユニット１０に収納された六面体状マグネット５１の長さは、第２の磁界発生ユニット２０に収納された六面体状マグネット５１の長さと等しく、第３の磁界発生ユニット３０に収納された六面体状マグネット５１の長さより短くなっていることが望ましい。
【００３１】
また、第１、第２の磁界発生ユニット１０、２０に収納された六面体状マグネット５１の長さは、第３の磁界発生ユニット３０に収納された六面体状マグネット５１の長さの１／２であることが更に望ましい。
【００３２】
筐体４０は、第１、第２、第３の磁界発生ユニット１０、２０、３０を同一面内に所定距離を明けて保持するための構造体であって、非磁性材料から作られている。  非磁性体材料であり、第１、第２、第３の磁界発生ユニット１０、２０、３０を確実に保持し得る材料であれば、どのような材料であっても筐体４０を構成することはできるが、取扱い性を良くするためには、軽量な材料が望ましい。
【００３３】
本実施形態では、発泡樹脂ブロックの中に第１、第２、第３の磁界発生ユニット１０、２０、３０を埋め込んだ構成の筐体４０としている。
【符号の説明】
【００３４】
１        磁界誘起構造体
１０      第１の磁界発生ユニット
１１      第１の中空筒状構造体
２０      第２の磁界発生ユニット
２１      第２の中空筒状構造体
３０      第３の磁界発生ユニット
３１      第３の中空筒状構造体
４０      筐体
５１      六面体状マグネット
【図１】
0006317293.tif 000002
【図２】
0006317293.tif 000003
【図３】
0006317293.tif 000004
【図４】
0006317293.tif 000005